(57)【特許請求の範囲】
【請求項１】
公営競技の業種ごとに設けられるホストコンピュータと通信を行うホスト通信部と、
利用者の操作を受付ける端末装置と通信を行う端末通信部と、
前記業種ごとに登録される会員の業種別会員情報を含む前記会員に関する管理情報を記憶する管理情報記憶部と、
前記端末通信部を介して前記端末装置が受付けた操作情報と前記利用者の会員識別情報とを取得し、前記操作情報に設定される対象業種に対応する接続先ホストコンピュータを特定し、前記対象業種と前記会員識別情報とに基づいて前記管理情報から前記対象業種に対応する前記業種別会員情報を抽出し、前記ホスト通信部を介して前記接続先ホストコンピュータに前記操作情報と前記業種別会員情報とを送信し、前記操作情報がキャッシュレス投票を指示する投票情報であるときは、前記投票情報に基づいて投票に用いる投票金を確定し、前記管理情報に基づいて前記会員の資金を管理する共通口座から前記接続先ホストコンピュータが管理する投票口座に前記投票金を振替え、前記投票情報を前記接続先ホストコンピュータに送信し、前記投票情報に対応するレースが終了したときは、当該レースの払戻金が反映された前記接続先ホストコンピュータの前記投票口座の残金を前記共通口座に振替える情報制御部と、
を有することを特徴とする通信装置。
【請求項２】
公営競技の業種ごとに設けられるホストコンピュータには、前記公営競技の運用情報を更新したときに、端末装置に前記運用情報を配信する第１のホストコンピュータと、配信しない第２のホストコンピュータと、があり、
前記ホストコンピュータと通信を行い、前記第１のホストコンピュータが配信する前記運用情報を取得し、取得した前記運用情報を送信するとともに、前記第２のホストコンピュータに対し所定の周期で前記運用情報の更新を問い合わせ、更新が検出されたときは前記第２のホストコンピュータから前記運用情報を取得し、取得した前記運用情報を送信するホスト通信部と、
利用者の操作を受付ける端末装置と通信を行う端末通信部と、
前記業種ごとに登録される会員の業種別会員情報を含む前記会員に関する管理情報を記憶する管理情報記憶部と、
前記端末通信部を介して前記端末装置が受付けた操作情報と前記利用者の会員識別情報とを取得し、前記操作情報に設定される対象業種に対応する接続先ホストコンピュータを特定し、前記対象業種と前記会員識別情報とに基づいて前記管理情報から前記対象業種に対応する前記業種別会員情報を抽出し、前記ホスト通信部を介して前記接続先ホストコンピュータに前記操作情報と前記業種別会員情報とを送信し、前記ホスト通信部から前記運用情報を取得して記憶部に記憶し、前記操作情報が前記運用情報の要求であるときは、要求された前記業種に対応する前記運用情報を前記記憶部から抽出して前記端末装置に送信する情報制御部と、
を有することを特徴とする通信装置。
【請求項３】
前記情報制御部は、前記操作情報が前記ホストコンピュータの保持する前記会員の履歴情報の照会であるときは、前記接続先ホストコンピュータに前記履歴情報の照会要求と前記業種別会員情報とを送信し、取得した前記業種の前記履歴情報を前記端末装置に送信する、
ことを特徴とする請求項１記載の通信装置。
【請求項４】
前記情報制御部は、前記操作情報が前記ホストコンピュータの保持する前記会員の履歴情報の照会であるときは、前記接続先ホストコンピュータに前記履歴情報の照会要求と前記業種別会員情報とを送信し、取得した前記業種の前記履歴情報を前記端末装置に送信する、
ことを特徴とする請求項２記載の通信装置。
【請求項５】
公営競技の業種ごとに設けられるホストコンピュータと、
利用者の操作を受付ける端末装置と、
前記ホストコンピュータと通信を行うホスト通信部と、前記端末装置と通信を行う端末通信部と、前記業種ごとに登録される会員の業種別会員情報を含む前記会員に関する管理情報を記憶する管理情報記憶部と、前記端末通信部を介して前記端末装置が受付けた操作情報と前記利用者の会員識別情報とを取得し、前記操作情報に設定される対象業種に対応する接続先ホストコンピュータを特定し、前記対象業種と前記会員識別情報とに基づいて前記管理情報から前記対象業種に対応する前記業種別会員情報を抽出し、前記ホスト通信部を介して前記接続先ホストコンピュータに前記操作情報と前記業種別会員情報とを送信し、前記操作情報がキャッシュレス投票を指示する投票情報であるときは、前記投票情報に基づいて投票に用いる投票金を確定し、前記管理情報に基づいて前記会員の資金を管理する共通口座から前記接続先ホストコンピュータが管理する投票口座に前記投票金を振替え、前記投票情報を前記接続先ホストコンピュータに送信し、前記投票情報に対応するレースが終了したときは、当該レースの払戻金が反映された前記接続先ホストコンピュータの前記投票口座の残金を前記共通口座に振替える情報制御部とを備える通信装置と、
を有することを特徴とする情報処理システム。
【請求項６】
公営競技の業種ごとに設けられるホストコンピュータには、前記公営競技の運用情報を更新したときに、端末装置に前記運用情報を配信する第１のホストコンピュータと、配信しない第２のホストコンピュータと、があり、
利用者の操作を受付ける端末装置と、
前記ホストコンピュータと通信を行い、前記第１のホストコンピュータが配信する前記運用情報を取得し、取得した前記運用情報を送信するとともに、前記第２のホストコンピュータに対し所定の周期で前記運用情報の更新を問い合わせ、更新が検出されたときは前記第２のホストコンピュータから前記運用情報を取得し、取得した前記運用情報を送信するホスト通信部と、前記端末装置と通信を行う端末通信部と、前記業種ごとに登録される会員の業種別会員情報を含む前記会員に関する管理情報を記憶する管理情報記憶部と、前記端末通信部を介して前記端末装置が受付けた操作情報と前記利用者の会員識別情報とを取得し、前記操作情報に設定される対象業種に対応する接続先ホストコンピュータを特定し、前記対象業種と前記会員識別情報とに基づいて前記管理情報から前記対象業種に対応する前記業種別会員情報を抽出し、前記ホスト通信部を介して前記接続先ホストコンピュータに前記操作情報と前記業種別会員情報とを送信し、前記ホスト通信部から前記運用情報を取得して記憶部に記憶し、前記操作情報が前記運用情報の要求であるときは、要求された前記業種に対応する前記運用情報を前記記憶部から抽出して前記端末装置に送信する情報制御部とを備える通信装置と、
を有することを特徴とする情報処理システム。
【請求項７】
公営競技の業種ごとに設けられるホストコンピュータと、利用者の操作を受付ける端末装置とに接続する通信装置の情報処理方法において、
端末通信部が、前記端末装置と通信を行って前記端末装置が受付けた操作情報と前記利用者の会員識別情報とを取得して情報制御部に送り、
前記情報制御部が、取得した前記操作情報に設定される対象業種に対応する接続先ホストコンピュータを特定し、管理情報記憶部に記憶される前記業種ごとに登録される会員の業種別会員情報を含む前記会員に関する管理情報から前記対象業種と前記会員識別情報とに基づく前記対象業種に対応する前記業種別会員情報を抽出し、
前記操作情報がキャッシュレス投票を指示する投票情報であるときは、前記投票情報に基づいて投票に用いる投票金を確定し、前記管理情報に基づいて前記会員の資金を管理する共通口座から前記接続先ホストコンピュータが管理する投票口座に前記投票金を振替え、前記投票情報を前記接続先ホストコンピュータに送信し、
前記投票情報に対応するレースが終了したときは、当該レースの払戻金が反映された前記接続先ホストコンピュータの前記投票口座の残金を前記共通口座に振替え、
ホスト通信部が、抽出した前記業種別会員情報と、前記操作情報とを前記接続先ホストコンピュータに送信する、
ことを特徴とする情報処理方法。
【請求項８】
公営競技の業種ごとに設けられるホストコンピュータと、利用者の操作を受付ける端末装置とに接続する通信装置の情報処理方法において、
前記ホストコンピュータには、前記公営競技の運用情報を更新したときに、前記端末装置に前記運用情報を配信する第１のホストコンピュータと、配信しない第２のホストコンピュータと、があり、
端末通信部が、前記端末装置と通信を行って前記端末装置が受付けた操作情報と前記利用者の会員識別情報とを取得して情報制御部に送り、
前記情報制御部が、取得した前記操作情報に設定される対象業種に対応する接続先ホストコンピュータを特定し、管理情報記憶部に記憶される前記業種ごとに登録される会員の業種別会員情報を含む前記会員に関する管理情報から前記対象業種と前記会員識別情報とに基づく前記対象業種に対応する前記業種別会員情報を抽出し、前記運用情報を取得して記憶部に記憶し、前記操作情報が前記運用情報の要求であるときは、要求された前記業種に対応する前記運用情報を前記記憶部から抽出して前記端末装置に送信し、
ホスト通信部が、抽出した前記業種別会員情報と、前記操作情報とを前記接続先ホストコンピュータに送信し、前記第１のホストコンピュータが配信する前記運用情報を取得して前記情報制御部に送るとともに、前記第２のホストコンピュータに対し所定の周期で前記運用情報の更新を問い合わせ、更新が検出されたときは前記第２のホストコンピュータから前記運用情報を取得して前記情報制御部に送る、
ことを特徴とする情報処理方法。
【発明の詳細な説明】
【技術分野】
【０００１】
本発明は、通信装置及び情報処理システム並びに情報処理方法に関する。
【背景技術】
【０００２】
公営競技には、例えば、競馬、競艇、競輪、オートレースなど、業種が異なる複数の競技がある。このような公営競技では、業種ごとにホストコンピュータと端末装置とを含むネットワークが構成され、それぞれ個別に競技の運営や投票処理などが行われている。各業種のホストコンピュータは、業種ごとにインタフェースなどの仕様が異なり、端末装置を共通化することが難しかった。
【０００３】
そこで、各業種のホストコンピュータと端末装置とに接続する共通のセンタあるいは通信装置を設け、共通のセンタあるいは通信装置を介して端末装置と任意の業種のホストコンピュータとを接続する公営競技の情報処理システムが提案されている。
【先行技術文献】
【特許文献】
【０００４】
【特許文献１】特開２００６−９９５２０号公報
【特許文献２】特開２０１２−１４１７７１号公報
【発明の概要】
【発明が解決しようとする課題】
【０００５】
しかし、従来の公営競技の情報処理システムでは、各業種に共通のセンタに対し新たに会員登録しなければならず、既に各業種のホストコンピュータに登録した会員番号は利用することができなかった。
【０００６】
また、キャッシュレス投票を行う場合には、各業種のホストコンピュータが管理する投票口座に資金を入金しておき、各ホストコンピュータは投票要求のあった会員の投票口座の資金を用いて投票券を販売している。投票口座を共通化するためには、各業種のホストコンピュータの仕様を統一しなければならず、実現は容易ではない。このため、キャッシュレス投票を行う利用者は、業種ごとに発行される会員カードと投票口座を管理しなければならず不便であった。
【０００７】
複数の業種の投票口座を共通のセンタで照会することができても、利用者は業種ごとに投票口座を管理しなければならなかった。例えば、競馬用の投票口座に資金がたくさんあっても、この投票口座を用いて他の業種、例えば競輪の投票を直接行うことはできない。このような場合には、競馬用の投票口座から資金を引き出し、引き出した資金を競輪用の投票口座に入金する必要があり、利用者にとって不便であった。
【０００８】
１つの側面では、本発明は、利用者の利便性を高めることが可能な通信装置及び情報処理システム並びに情報処理方法に関する。
【課題を解決するための手段】
【０００９】
上記課題を解決するために、通信装置が提供される。通信装置は、公営競技の業種ごとに設けられるホストコンピュータと通信を行うホスト通信部と、利用者の操作を受付ける端末装置と通信を行う端末通信部と、業種ごとに登録される会員の業種別会員情報を含む会員に関する管理情報を記憶する管理情報記憶部と、端末通信部を介して端末装置が受付けた操作情報と利用者の会員識別情報とを取得し、操作情報に設定される対象業種に対応する接続先ホストコンピュータを特定し、対象業種と会員識別情報とに基づいて管理情報から対象業種に対応する業種別会員情報を抽出し、ホスト通信部を介して接続先ホストコンピュータに操作情報と業種別会員情報とを送信し、操作情報がキャッシュレス投票を指示する投票情報であるときは、投票情報に基づいて投票に用いる投票金を確定し、管理情報に基づいて会員の資金を管理する共通口座から接続先ホストコンピュータが管理する投票口座に投票金を振替え、投票情報を接続先ホストコンピュータに送信し、投票情報に対応するレースが終了したときは、レースの払戻金が反映された接続先ホストコンピュータの投票口座の残金を共通口座に振替える情報制御部と、を有する。
また、通信装置は、公営競技の業種ごとに設けられるホストコンピュータには、公営競技の運用情報を更新したときに、端末装置に運用情報を配信する第１のホストコンピュータと、配信しない第２のホストコンピュータと、があり、ホストコンピュータと通信を行い、第１のホストコンピュータが配信する運用情報を取得し、取得した運用情報を送信するとともに、第２のホストコンピュータに対し所定の周期で運用情報の更新を問い合わせ、更新が検出されたときは第２のホストコンピュータから運用情報を取得し、取得した運用情報を送信するホスト通信部と、利用者の操作を受付ける端末装置と通信を行う端末通信部と、業種ごとに登録される会員の業種別会員情報を含む会員に関する管理情報を記憶する管理情報記憶部と、端末通信部を介して端末装置が受付けた操作情報と利用者の会員識別情報とを取得し、操作情報に設定される対象業種に対応する接続先ホストコンピュータを特定し、対象業種と会員識別情報とに基づいて管理情報から対象業種に対応する業種別会員情報を抽出し、ホスト通信部を介して接続先ホストコンピュータに操作情報と業種別会員情報とを送信し、ホスト通信部から運用情報を取得して記憶部に記憶し、操作情報が運用情報の要求であるときは、要求された業種に対応する運用情報を記憶部から抽出して端末装置に送信する情報制御部と、を有する。
【発明の効果】
【００１０】
１態様によれば、通信装置は、端末装置から取得した操作情報を対象業種に対応する接続先ホストコンピュータに送信する際、会員の会員識別情報を対象業種に対応する業種別会員情報とする。接続先ホストコンピュータでは、自装置が管理する業種に対応する業種別会員情報を取得するので、当該会員による操作情報に基づく操作を許可する。これにより、１台の端末装置で業種の異なるホストコンピュータが利用可能となり、利用者の利便性を高めることができる。
【図面の簡単な説明】
【００１１】
【図１】第１の実施形態の通信装置の構成を示したブロック図である。
【図２】第２の実施形態の公営競技情報処理システムの構成図である。
【図３】端末・センタ通信装置のハードウェア構成の一例を示した図である。
【図４】キャッシュレス端末のハードウェア構成の一例を示した図である。
【図５】公営競技情報処理システムの機能構成を示したブロック図である。
【図６】会員情報の一例を示した図である。
【図７】資金情報の一例を示した図である。
【図８】投票処理における資金の流れの一例を示した図である。
【図９】キャッシュレス端末のログイン画面の一例を示した図である。
【図１０】端末・センタ通信装置によるログイン処理の手順を示したタイムチャートである。
【図１１】端末・センタ通信装置による入金処理の手順を示したタイムチャートである。
【図１２】キャッシュレス端末の投票カード待ち画面の一例を示した図である。
【図１３】端末・センタ通信装置による投票処理の手順を示したタイムチャートである。
【図１４】端末・センタ通信装置による投票処理の手順を示したタイムチャートである。
【図１５】キャッシュレス端末の履歴照会画面の一例を示した図である。
【発明を実施するための形態】
【００１２】
以下、本発明の実施の形態について図面を参照して説明する。
［第１の実施形態］
図１は、第１の実施形態の通信装置の構成を示したブロック図である。
【００１３】
第１の実施形態の通信装置１は、ホスト通信部１１と、端末通信部１２と、管理情報記憶部１３と、情報制御部１４と、を有し、業種Ａホストコンピュータ（以下、ホストとする）２ａ及び業種Ｂホスト２ｂと、端末装置３との間の通信を制御する。
【００１４】
業種Ａホスト２ａは、公営競技のうちの１つ業種（業種Ａ）の運営を管理するセンタに設けられ、対応する公営競技の投票券の発売と払戻しに関する業務やレース情報の提供など、競技の運営に関する処理を行う。業種Ｂホスト２ｂは、業種Ａホスト２ａとは異なる業種（業種Ｂ）の競技を管理するセンタに設けられ、業種Ａホスト２ａと同様の処理を行う。業種Ａホスト２ａと、業種Ｂホスト２ｂとは、それぞれ独立して運営されており、例えば、会員登録を行った会員に付与する業種別会員情報の様式が異なる。また、それぞれ別のネットワークを形成しており、インタフェースの仕様も異なる。さらに、業種Ａホスト２ａと業種Ｂホスト２ｂとは、キャッシュレス投票を行う利用者が投票券の代金を支払うための投票口座をそれぞれ独自に設けて管理する。
【００１５】
端末装置３は、レース場や投票券の場外発売場に設けられ、利用者の行った操作を受付け、生成した操作情報を業種Ａホスト２ａまたは業種Ｂホスト２ｂに送信する。操作情報は、対象業種の指定と、操作内容を含む。操作内容には、例えば、対象業種のホストが管理するレースの運用情報の要求、会員の履歴照会などの情報照会と、ホストが管理するレースへの投票依頼などがある。また、端末装置３は、例えば、利用者が保持する会員カードなどを読み取る読取部を有し、利用者を識別する会員識別情報を取得する。端末装置３は、利用者の操作に応じて、操作情報と会員識別情報とを通信装置１に送信する。
【００１６】
ホスト通信部１１は、業種Ａホスト２ａとの間で、業種Ａホスト２ａのインタフェース仕様に基づく通信を行うとともに、業種Ｂホスト２ｂとの間で業種Ｂホスト２ｂのインタフェース仕様に基づく通信を行う。情報制御部１４から接続先ホストと送信情報とを取得し、送信情報を接続先ホストの仕様に合わせて変換した後、接続先ホストへ送信する。
【００１７】
端末通信部１２は、端末装置３と通信を行う。端末通信部１２は、端末装置３が受付けた操作情報や会員識別情報を取得し、情報制御部１４へ送る。
管理情報記憶部１３は、業種ごとに登録される会員の業種別会員情報を含む会員に関する管理情報を記憶する。管理情報には、例えば、利用者が業種ごとに付与された業種別会員情報や投票口座に関する情報が、情報制御部１４が会員に付与した共通会員情報に対応付けて登録されている。すなわち、利用者ひとりに対し、共通会員情報と複数の業種別会員情報とが付与されている。各業種のホストは、自装置が設定した業種別会員情報を用いてアクセスしてきた場合にのみ会員を識別し、その会員に関する情報にアクセスすることができる。例えば、図１の例では、業種Ａホスト２ａは、業種Ａホスト２ａが管理する業種Ａ会員情報によって自装置が管理する当該会員の情報にアクセスすることができる。同様に、業種Ｂホスト２ｂは、業種Ｂホスト２ｂが管理する業種Ｂ会員情報によって自装置が管理する当該会員の情報にアクセスすることができる。
【００１８】
情報制御部１４は、端末通信部１２を介して端末装置３が受付けた操作情報と、会員識別情報とを取得する。会員識別情報には、通信装置１において利用者に付与された共通会員情報あるいは業種Ａホスト２ａまたは業種Ｂホスト２ｂが独自に付与した業種別会員情報のいずれかが設定されている。情報制御部１４は、会員識別情報と、管理情報記憶部１３に記憶される管理情報とを照合し、共通会員情報と、任意の業種の業種別会員情報とを取得することができる。情報制御部１４は、取得した操作情報に基づいて、対象業種の接続先ホストを特定し、会員識別情報を対応業種の業種別会員情報に置き換え、ホスト通信部１１に対し、接続先ホストを指定し、操作情報と業種別会員情報の送信を指示する。
【００１９】
通信装置１の動作について説明する。
通信装置１の管理情報記憶部１３には、予め会員の業種別会員情報を含む管理情報が記憶されている。
【００２０】
端末装置３は、例えば、利用者が保有する会員カードを読み取って会員識別情報を取得し、利用者の操作情報とともに通信装置１に送信する。操作情報には、対象業種と、利用者が行った操作内容と、が含まれる。
【００２１】
通信装置１は、端末通信部１２を介して操作情報と会員識別情報とを取得する。情報制御部１４は、操作情報に基づく対象業種に対応する接続先ホストを特定する。続いて、対象業種と会員識別情報とに基づいて管理情報から対象業種に対応する業種別会員情報を抽出する。対象業種が業種Ａであれば、接続先ホストは業種Ａホスト２ａであり、業種別会員情報は業種Ａ会員情報になる。対象業種が業種Ｂであれば、接続先ホストは業種Ｂホスト２ｂであり、業種別会員情報は業種Ｂ会員情報になる。ホスト通信部１１は、接続先ホストが業種Ａホスト２ａであるときは、操作情報と業種Ａ会員情報とを業種Ａのインタフェース仕様に合わせ、業種Ａホスト２ａに向けて送信する。また、ホスト通信部１１は、接続先ホストが業種Ｂホスト２ｂであるときは、操作情報と業種Ｂ会員情報と業種Ｂのインタフェース仕様に合わせ、業種Ｂホスト２ｂに向けて送信する。
【００２２】
このように、通信装置１は、端末装置３から取得した操作情報及び会員識別情報と、管理情報記憶部１３に記憶する管理情報と、に基づき、対象業種に対応する接続先ホストを特定し、会員識別情報を対象業種の業種別会員情報に置き換えて接続先ホストに操作情報を送信する。これにより、端末装置３から任意の業種のホストにアクセスすることが可能となり、利用者の利便性を向上させることが可能となった。特に、業種Ａホスト２ａ及び業種Ｂホスト２ｂでは、過去に会員に付与した業種別会員情報を用いることが出来るため、共通番号に対応して仕様を変更する必要がない。また、利用者も過去に発行された会員カードが利用できるため、便利である。
【００２３】
なお、通信装置１では、操作情報と会員識別情報とを同時に取得しなくてもよい。例えば、先にログインなどによって利用者の会員識別情報を取得し、記憶部に保存しておく。そして、その後に入力する操作情報に応じて、会員識別情報を対象業種の業種別会員情報に置き換えるとしてもよい。
【００２４】
［第２の実施形態］
第２の実施形態では、第１の実施形態の通信装置１を有する公営競技情報処理システム全体について説明する。図２は、第２の実施形態の公営競技情報処理システムの構成図である。
【００２５】
第２の実施形態の公営競技情報処理システムでは、端末・センタ通信装置１０が、通信回線を介して、公営競技の業種ごとに設けられた業種Ａホスト２１、業種Ｂホスト２２、業種Ｃホスト２３及び業種Ｄホスト２４と、キャッシュレス端末３０ａ，３０ｂ，３０ｃ，３０ｄ及び入出金機３１と、に接続する。なお、以下では、特に装置を指定して説明する必要がない場合は、ホスト２０、キャッシュレス端末３０と表記する。
【００２６】
現金を用いて投票券を発行して投票を行う端末装置に対し、キャッシュレス端末３０では、予め業種ごとに会員登録を行って投票を行う。各業種のホスト２０は、会員登録時に独自の業種別会員情報を発行し、投票口座を開設する。以下では、業種別会員情報として、業種別に会員番号が付されるとする。例えば、業種Ａの会員番号は業種Ａ会員番号、業種Ｂの会員番号は業種Ｂ会員番号とする。また、端末・センタ通信装置１０でも、会員を管理するための会員番号を発行する。端末・センタ通信装置１０が発行する会員番号を便宜的に共通会員番号とする。
【００２７】
業種Ａホスト２１は、業種Ａに関する投票券の発売管理、競技結果の集計及び管理を行うとともに、競技の開催内容に関する運用情報を配信することができる。業種Ｂホスト２２、業種Ｃホスト２３及び業種Ｄホスト２４は、それぞれ業種Ａホスト２１と同様の情報を有し、同様の業務を行う。業種Ａホスト２１と、業種Ｂホスト２２と、業種Ｃホスト２３と、業種Ｄホスト２４とは、それぞれ独立したネットワークを形成して個別に情報を管理しており、各ホスト間で情報が共有されることはない。なお、業種Ａ、業種Ｂ、業種Ｃ、業種Ｄは、例えば、競馬、競輪、競艇、オートである。
【００２８】
キャッシュレス端末３０ａ，３０ｂ，３０ｃ，３０ｄは、利用者が保有する会員カードから会員番号を読み取り、端末・センタ通信装置１０に送信する。キャッシュレス端末３０が、読み出す会員番号は、利用者が業種ごとのホストが付与した業種別会員番号、または端末・センタ通信装置１０が付与した共通会員番号のいずれであってもよい。また、投票カードを読み取り、受付けた投票内容に応じた投票情報を端末・センタ通信装置１０に送信する。なお、キャッシュレス投票では、投票券は発券されず、投票した内容を印刷したレシートが発行される。キャッシュレス投票自体は、端末・センタ通信装置１０を介した各ホスト２０との間のデータの授受により投票が行われる。
【００２９】
入出金機３１は、利用者が保有する会員カードから会員番号を読み取るとともに、この会員による入出金操作を受付ける。現金が入金されたときは、現金を装置内に保管し、入金操作情報を読み取った会員番号とともに端末・センタ通信装置１０に通知する。出金操作があったときは、出金操作情報を会員番号とともに端末・センタ通信装置１０に通知し、端末・センタ通信装置１０からの許可があれば、現金を出金する。
【００３０】
端末・センタ通信装置１０は、業種Ａホスト２１、業種Ｂホスト２２、業種Ｃホスト２３及び業種Ｄホスト２４と、キャッシュレス端末３０ａ，３０ｂ，３０ｃ，３０ｄ及び入出金機３１と、に接続する。端末・センタ通信装置１０は、キャッシュレス端末３０からホスト２０に向かって送信される操作情報と会員番号とを取得し、対象業種に対応する接続先のホスト２０に合わせて操作情報と会員番号とを変換した後、接続先のホスト２０に送信する。また、端末・センタ通信装置１０は、ホスト２０からキャッシュレス端末３０に向かって送信される応答あるいは配信情報を取得し、必要に応じて情報を変換した後、接続先のキャッシュレス端末３０に送信する。端末・センタ通信装置１０は、通信装置１の一実施形態である。
【００３１】
次に、端末・センタ通信装置１０と、キャッシュレス端末３０ａ，３０ｂ，３０ｃ，３０ｄと、のハードウェア構成について説明する。
図３は、端末・センタ通信装置のハードウェア構成の一例を示した図である。
【００３２】
端末・センタ通信装置１０は、ＣＰＵ（Central Processing Unit）１０１によって装置全体が制御されている。ＣＰＵ１０１には、バス１０７を介してＲＡＭ（Random Access Memory）１０２と複数の周辺機器が接続されている。
【００３３】
ＲＡＭ１０２は、端末・センタ通信装置１０の主記憶装置として使用される。ＲＡＭ１０２には、ＣＰＵ１０１に実行させるＯＳ（Operating System）のプログラムやアプリケーションプログラムの少なくとも一部が一時的に格納される。また、ＲＡＭ１０２には、ＣＰＵ１０１による処理に必要な各種データが格納される。
【００３４】
バス１０７に接続されている周辺機器としては、ハードディスクドライブ（ＨＤＤ:Hard Disk Drive）１０３、ホスト通信部１０４、入出力制御部１０５及び端末通信部１０６がある。
【００３５】
ＨＤＤ１０３は、内蔵したディスクに対して、磁気的にデータの書き込みおよび読み出しを行う。ＨＤＤ１０３は、端末・センタ通信装置１０の二次記憶装置として使用される。ＨＤＤ１０３には、ＯＳのプログラム、アプリケーションプログラム、および各種データが格納される。なお、二次記憶装置としては、フラッシュメモリなどの半導体記憶装置を使用することもできる。
【００３６】
ホスト通信部１０４は、ホスト２０（図２に示した例では、業種Ａホスト２１、業種Ｂホスト２２、業種Ｃホスト２３及び業種Ｄホスト２４）とネットワークを介して接続され、各ホスト２０の通信部との間の通信処理を実行する。
【００３７】
入出力制御部１０５は、外部管理装置４０が接続され、外部管理装置４０との間でデータ交換を行う。外部管理装置４０は、常に接続されていてもよいし、必要に応じて接続されるとしてもよい。外部管理装置４０のハードウェア構成の図示は省略するが、少なくとも、ＣＰＵ、ＲＡＭ、通信部、表示部が接続されたグラフィック処理部、ＨＤＤ及び入力部が接続された入力制御部を備えている。
【００３８】
端末通信部１０６は、キャッシュレス端末３０（図２に示した例では、キャッシュレス端末３０ａ，３０ｂ，３０ｃ，３０ｄ）とネットワークを介して接続され、各キャッシュレス端末３０の通信部との間の通信を実行することができる。なお、入出金機３１も同様に、端末通信部１０６を介して接続する。
【００３９】
以上のようなハードウェア構成によって、第２の実施形態の端末・センタ通信装置１０の処理機能を実現することができる。
なお、図３には端末・センタ通信装置１０のハードウェア構成を示したが、図２に示した各公営競技のホストも同様のハードウェア構成である。
【００４０】
図４は、キャッシュレス端末のハードウェア構成の一例を示した図である。
キャッシュレス端末３０は、制御ユニット３１０と、ディスプレイ３２０と、タッチパネル３３０と、投票カード読取ユニット３４０と、レシートプリンタ３５０と、ＩＣカードリーダ３６０と、を備えている。
【００４１】
制御ユニット３１０は、ＣＰＵ３１１、ＲＡＭ３１２、ＨＤＤ３１３、グラフィック処理ユニット３１４、入出力インタフェース３１５及び通信部３１６を有し、各々がバス３１７を介して接続されている。なお、制御ユニット３１０は、コンピュータの一実施形態でもある。ＣＰＵ３１１、ＲＡＭ３１２及びＨＤＤ３１３は、図３に示した端末・センタ通信装置１０のＣＰＵ１０１、ＲＡＭ１０２及びＨＤＤ１０３と同じ動作を行うものであり、それぞれの説明は省略する。なお、図４に示した構成では、各種プログラムをＨＤＤ３１３に記憶させているが、これに限らず、例えばコンパクトフラッシュ（登録商標）などのメモリカードなどに記憶させてもよい。
【００４２】
グラフィック処理ユニット３１４には、ディスプレイ３２０が接続されている。グラフィック処理ユニット３１４は、ＣＰＵ３１１の制御の下に、各種の情報をディスプレイ３２０の画面に表示させる。
【００４３】
入出力インタフェース３１５には、タッチパネル３３０、投票カード読取ユニット３４０、レシートプリンタ３５０及びＩＣカードリーダ３６０が接続されている。入出力インタフェース３１５は、タッチパネル３３０、投票カード読取ユニット３４０、レシートプリンタ３５０及びＩＣカードリーダ３６０から送られてくる信号をバス３１７を介してＣＰＵ３１１に送信する。また、入出力インタフェース３１５は、ＣＰＵ３１１から送られてくる制御信号を、タッチパネル３３０、投票カード読取ユニット３４０、レシートプリンタ３５０及びＩＣカードリーダ３６０へ送信する。
【００４４】
通信部３１６は、図３に示した端末・センタ通信装置１０の端末通信部１０６との間の通信を実行する。
ここで、ディスプレイ３２０は、投票予約データの選択画面や利用者に選択してもらう優先条件を表示するものであり、その他、操作案内、レース案内、投票カードの投票内容などの情報を表示する。ディスプレイ３２０の上部には、タッチパネル３３０が配置される。タッチパネル３３０は、各種の入力や投票内容の修正などの際に、利用者が操作するものである。
【００４５】
投票カード読取ユニット３４０は、投票カードから投票内容を読み取るユニットである。レシートプリンタ３５０は、投票内容を印字するプリンタである。ＩＣカードリーダ３６０は、会員カードの会員番号などの情報を読み取るものである。
【００４６】
以上のようなハードウェア構成によって、第２の実施形態のキャッシュレス端末３０の処理機能を実現することができる。
次に、公営競技情報処理システムの処理機能について図５を用いて説明する。図５は、公営競技情報処理システムの機能構成を示したブロック図である。図５では、図２に示した業種Ｃホスト２３と、業種Ｄホスト２４と、を省略しているが、業種Ｃホスト２３及び業種Ｄホスト２４の構成は業種Ａホスト２１及び業種Ｂホスト２２と同様である。
【００４７】
公営競技情報処理システムは、業種Ａホスト２１と、業種Ｂホスト２２と、端末・センタ通信装置１０と、キャッシュレス端末３０と、を有する。
業種Ａホスト２１は、業種Ａの公営競技の運営を行うセンタに設置されたホストであり、業種Ａ管理情報記憶部２１１に記憶される業種Ａ管理情報に基づき、投票の受付けや払戻しなどの処理を行う。業種Ａ管理情報には、業種Ａの会員登録を行った会員の業種Ａ会員番号と、業種Ａの投票用の資金を管理する投票口座に関する情報が設定されている。業種Ａホスト２１は、ＴＣＰ／ＵＤＰ（Transmission Control Protocol／User Datagram Protocol）により通信データを送受信する。業種Ａホスト２１は、必要に応じてＵＤＰを用いて運用情報などを一斉配信する。
【００４８】
業種Ｂホスト２２は、業種Ｂの公営競技の運営を行うセンタに設置されたホストであり、業種Ｂ管理情報記憶部２２１に記憶される業種Ｂ管理情報に基づき、投票の受付けや払戻しなどの処理を行う。業種Ｂ管理情報には、業種Ｂの会員登録を行った会員の業種Ｂ会員番号と、業種Ｂの投票用の資金を管理する投票口座に関する情報が設定されている。業種Ｂホスト２２は、ＨＴＴＰ（Hypertext Transfer Protocol）により通信データを送受信する。
【００４９】
キャッシュレス端末３０は、通信処理部３７１、入力部３７２及び表示部３７３を有し、業種Ａ及び業種Ｂを含む複数の業種に対応してキャッシュレス投票の受付けや払い戻し処理を行うマルチ端末である。通信処理部３７１は、入力部３７２を介して取得した情報を端末・センタ通信装置１０に送信する。また、端末・センタ通信装置１０から情報を取得し、必要に応じて記憶部に記憶し、表示部３７３へ出力する。入力部３７２は、ＩＣカードリーダ３６０が読み取った会員番号と、投票カード読取ユニット３４０が読み取った投票カードの投票情報と、タッチパネル３３０が検出した利用者の操作情報とを入力する。
【００５０】
表示部３７３は、通信処理部３７１から取得した情報と、入力部３７２が取得した情報と、をディスプレイ３２０に表示する。
端末・センタ通信装置１０は、業種Ａホスト通信部１１０ａと、業種Ｂホスト通信部１１０ｂと、端末通信部１２０と、情報制御部１３０と、を有する。
【００５１】
業種Ａホスト通信部１１０ａは、業種Ａホスト２１との間でＴＣＰ／ＵＤＰ通信を行う。業種Ａホスト通信部１１０ａでは、情報制御部１３０から取得した操作情報と業種Ａ会員番号とをＴＣＰ要求により業種Ａホスト２１に向けて送信する。そして、これに対する業種Ａホスト２１の応答情報をＴＣＰ応答として受信し、情報制御部１３０に出力する。また、業種Ａホスト２１が適宜更新する運用情報や、業種Ａのホスト２１の指示情報は、業種Ａホスト２１がＵＤＰ通信により一斉に配信した情報を受信し、情報制御部１３０に出力する。
【００５２】
業種Ｂホスト通信部１１０ｂは、業種Ｂホスト２２との間でＨＴＴＰ通信を行う。業種Ｂホスト通信部１１０ｂでは、情報制御部１３０から取得した操作情報と業種Ｂ会員番号とをＨＴＴＰ要求により業種Ｂホスト２２に向けて送信する。そして、これに対する業種Ｂホスト２２の応答情報をＨＴＴＰ応答として受信し、情報制御部１３０に出力する。なお、ＨＴＴＰ通信では、業種Ｂホスト２２側から更新した運用情報などを送信することができない。そこで、業種Ｂホスト通信部１１０ｂは、所定の間隔で業種Ｂホスト２２との間でＨＴＴＰ通信を行い、業種Ｂホスト２２において運用情報が更新されたか否かを監視する。更新が検出されたときは、更新された運用情報の要求をＨＴＴＰ通信で行い、これに対する業種Ａホスト２１の応答情報をＨＴＴＰ応答として受信し、情報制御部１３０に出力する。
【００５３】
端末通信部１２０は、キャッシュレス端末３０ａ，３０ｂ，３０ｃ，３０ｄと、入出金機３１と、通信を行う。端末通信部１２０は、キャッシュレス端末３０が受付けた投票情報や会員番号を受信し、投票制御部１３１へ送る。そして、投票制御部１３１を介して取得した業種Ａホスト２１または業種Ｂホスト２２の応答情報をキャッシュレス端末３０に送信する。また、投票制御部１３１を介して業種Ａホスト２１及び業種Ｂホスト２２から更新された運用情報を受け取ったときは、キャッシュレス端末３０に運用情報を送信する。
【００５４】
情報制御部１３０は、投票制御部１３１と、会員管理部１３２と、会員情報記憶部１３３と、資金管理部１３４と、資金情報記憶部１３５と、運用情報記憶部１３６と、を有する。会員情報記憶部１３３、資金情報記憶部１３５及び運用情報記憶部１３６は、第１の実施形態の管理情報記憶部１３の一実施形態である。
【００５５】
投票制御部１３１は、キャッシュレス端末３０が受付けた操作情報と会員番号とを取得して操作情報に応じた処理を実行する。投票制御部１３１は、例えば、キャッシュレス端末３０から操作情報として投票情報を取得して投票処理を行い、キャッシュレス端末３０から操作情報として履歴照会を取得したときは履歴照会処理を行う。また、投票制御部１３１は、業種Ａホスト通信部１１０ａ、１１０ｂを介して更新された運用情報を取得したときは、運用情報をキャッシュレス端末３０に配信する。各処理については後述する。
【００５６】
会員管理部１３２は、会員情報記憶部１３３に記憶される会員情報に基づき、端末・センタ通信装置１０が付与した共通会員番号と、各業種のホスト２０において会員登録を行った際の業種別会員番号を管理する。会員管理部１３２では、投票制御部１３１からの要求を受付けたときは、受付けた会員番号に基づき、会員情報から対象業種に対応する業種別会員番号を抽出し、投票制御部１３１へ通知する。
【００５７】
会員情報記憶部１３３は、会員情報を記憶する。会員情報には、端末・センタ通信装置１０が付与した共通会員番号に対応付けて、当該会員が他の業種で付与された業種別会員番号が登録されている。
【００５８】
資金管理部１３４は、資金情報記憶部１３５に記憶される資金情報に基づき、会員の資金を管理する。前述のように、各業種のホスト２０は、投票券の購入資金として各業種のホスト２０がそれぞれ管理する投票口座に入金された資金を用いる。資金管理部１３４では、利用者によって投票が指示され、投票券が購入されるときに対象業種のホスト２０が管理する投票口座に投票金を入金し、対象業種のホスト２０による投票券の発売を可能にする。すなわち、資金管理部１３４は、共通口座を設け、投票が指示されたとき以外は、各業種がそれぞれ管理する投票口座の資金を一括管理する。具体的には、資金管理部１３４は、入出金機３１を介して入金される資金と出金される資金を共通口座で管理し、投票時に投票制御部１３１から振替指示を取得したときは、共通口座から投票先の業種のホスト２０が管理する投票口座へ投票金を振替える。
【００５９】
資金情報記憶部１３５は、資金情報を記憶する。資金情報には、共通会員番号に対応付けて、端末・センタ通信装置１０が管理する共通口座の残高と、投票時に各業種の投票口座に振分けた投票金と、が記憶されている。
【００６０】
運用情報記憶部１３６は、投票制御部１３１が業種Ａホスト２１及び業種Ｂホスト２２から取得した運用情報を記憶する。運用情報には、各競技のレース開始時刻やオッズ、出走の取消しなどの案内情報や、レース結果や配当金などの情報が含まれる。
【００６１】
ここで、会員情報と資金情報の一例について、図６、７を用いて説明する。
図６は、会員情報の一例を示した図である。
会員情報１３３０は、各会員１３３１に対して付与された会員番号が登録されている。図６の例では、会員１３３１に対し、端末・センタ通信装置１０が付与した共通会員番号（２０桁）１３３２、業種Ａで付与された業種Ａ会員番号（１６桁）１３３３、業種Ｂで付与された業種Ｂ会員番号（９桁）１３３４、業種Ｃで付与された業種Ｃ会員番号（１２桁）１３３５、及び業種Ｄで付与された業種Ｄ会員番号（１０桁）１３３６が登録されている。（）内は、それぞれの会員番号の桁数である。なお、共通会員番号（２０桁）１３３２は、すべての会員番号に対応可能なように、最も桁数の多い業種の会員番号よりも大きな桁数となるように設定される。
【００６２】
このように、管理情報において業種ごとに付与された会員番号を対応付けて管理しているので、各業種のホスト２０がそれぞれの業種別会員番号に対応付けて管理する管理情報を利用することができるようになる。例えば、共通会員番号（２０桁）１３３２でキャッシュレス端末３０にログインした会員が、業種Ａホスト２１が管理する自身の情報を取得したいときは、会員情報１３３０に基づいて対応する業種Ａ会員番号（１６桁）１３３３を抽出し、操作情報とともに業種Ａホスト２１に送信すればよい。
【００６３】
会員情報１３３０の登録は、例えば、キャッシュレス端末３０に新たな会員登録画面を設けて共通会員番号を付与し、この会員が保有する会員カードを順次読み取るか、会員に手入力されるなどして行う。また、キャッシュレス端末３０が特定の業種の会員カードから読み取った業種別会員番号に対応する共通会員番号がなかったときに、前述の会員登録画面を表示するとしてもよい。
【００６４】
図７は、資金情報の一例を示した図である。
資金情報１３５０は、会員ごとに、投票処理の工程１３５１に対応し、各工程における端末・センタ通信装置１０の共通口座の口座残高１３５２及び振替金１３５３と、業種Ａ１３５４、業種Ｂ１３５５、業種Ｃ１３５６及び業種Ｄ１３５７の投票口座の残高と、が登録されている。振替金１３５３は、キャッシュレス端末３０が受付けた投票情報に基づいて、各業種のホスト２０に振替える投票金の合計である。
【００６５】
例えば、投票処理の工程１３５１が「入金」であるときは、共通口座の口座残高１３５２が入金額に応じて更新される。また、投票処理の工程１３５１が「ホストへ振替」であるときは、共通口座から振替金１３５３に「３，８００」がホスト２０が管理する投票口座に振替えられる。その内訳は、業種Ａ１３５４に「２，０００」、業種Ｂ１３５５に「１，０００」、業種Ｃに「５００」、業種Ｄ１３５７に「３００」であることが設定されている。同様に、投票工程１３５１の「投票」、「払戻（的中）」、「残金」に対応し、関連する口座の残高が更新される。
【００６６】
ここで、図７に示した投票処理における会員Ａに関する資金の流れを説明する。図８は、投票処理における資金の流れの一例を示した図である。図７に示した矩形内の数値は、それぞれが管理する口座の残高を示している。
【００６７】
ここでは、一例を挙げて説明する。
まず、入出金機３１がログインした会員による入金を受付ける。会員は、共通会員番号でログインしたとする。入出金機３１は、入金額「５０，０００円」と、入金を行った会員の共通会員番号とを含む入金操作情報を端末・センタ通信装置１０に通知する。共通会員番号は、ログイン時に端末・センタ通信装置１０に送られているとしてもよい。端末・センタ通信装置１０では、入金操作情報を取得し、対応する会員の共通口座へ入金額「５０，０００円」を入金処理する。図７、８の例では、端末・センタ通信装置１０の会員Ａの共通口座の口座残高は、５０，０００円（１５１）になったとしている。
【００６８】
次に、キャッシュレス端末３０が、この会員の投票を受付け、受付けた投票情報を端末・センタ通信装置１０に送信する。端末・センタ通信装置１０では、この会員のログイン時の共通会員番号を保持しているとする。端末・センタ通信装置１０は、投票情報に基づき、この会員の共通口座から、投票先の業種のホストが管理する投票口座に投票金を振込む。例えば、投票情報には、業種Ａにおいて２，０００円、業種Ｂにおいて１，０００円、業種Ｃにおいて５００円、業種Ｄにおいて３００円の投票券購入指示があったとする。この投票情報に応じて、資金管理部１３４は、図７、８に示すように、業種Ａホスト２１の投票口座には２，０００円（２１１）、業種Ｂホスト２２の投票口座には１，０００円（２２１）、業種Ｃホスト２３の投票口座には５００円（２３１）、業種Ｄホスト２４の投票口座には３００円（２４１）を振替える。
【００６９】
その後、投票が確定され、レース終了後には配当金が確定する。各投票口座の残高は、払戻金に応じて更新される。業種Ａホスト２１の投票口座には払戻金が入金され残高は３，０００円（２１２）になる。業種Ｂホスト２２の投票口座は、払戻金がなく、残高は０円（２２２）になる。同様にして、業種Ｃホスト２３の投票口座は２，０００円（２３２）、業種Ｄホスト２４の投票口座は０円（２４２）になる。
【００７０】
端末・センタ通信装置１０では、レース結果の確定後に各投票口座が保有する払戻金を共通口座に振替える振替処理を行う。これにより、端末・センタ通信装置１０が管理する共通口座の残高は、５１，２００円（１５２）になる。一方、業種Ａホスト２１の投票口座は０円（２１３）、業種Ｂホスト２２の投票口座は０円（２２３）、業種Ｃホスト２３の投票口座は０円（２３３）、業種Ｄホスト２４の投票口座は０円（２４３）と、各投票口座の残高は０円になる。
【００７１】
このように、投票ごとに端末・センタ通信装置１０の共通口座から投票先のホストに投票金が振替えられる。また、レースが確定後に残った資金は投票先のホストの投票口座から端末・センタ通信装置１０の共通口座に振替えられる。
【００７２】
利用者の資金は、端末・センタ通信装置１０が一括管理するため、利用者は自身が保有する資金の全額を把握することができる。このように、業種別に資金を管理しなくてもよいため、利用者の利便性が向上する。また、投票に際しては、端末・センタ通信装置１０が投票先の業種のホストに投票金を適宜振替えて投票処理を行うので、利用者は、各業種の口座残高を意識することなく、１台のキャッシュレス端末３０から異なる業種の投票を行うことが可能となる。
【００７３】
次に、端末・センタ通信装置１０が行うログイン処理、入金処理、投票処理及び照会処理の各処理をタイムチャートと、対応するキャッシュレス端末３０の表示画面とを用いて説明する。
【００７４】
（１）ログイン処理
ログイン処理は、利用者がキャッシュレス端末３０または入出金機３１に会員カードを読み取らせて、会員の認証を行う処理である。図９は、キャッシュレス端末のログイン画面の一例を示した図である。
【００７５】
ログイン画面３２１は、利用者がログインを行う前に表示される待機画面である。ログイン画面３２１には、利用者に対する案内メッセージ３２１１とともに、端末・センタ通信装置１０から取得した運用情報に基づく各業種のレース案内が表示されている。
【００７６】
案内メッセージ３２１１には、「会員カードをタッチしてログインして下さい」という利用者に向けたメッセージが表示される。キャッシュレス投票を行う利用者は、事前に行った会員登録において会員カードが作成されており、会員カードを用いてログインする。
【００７７】
また、各業種のレース案内として、業種Ａ３２１２が投票を受付けている場の一覧３２１３が表示されている。同様に、業種Ｂ３２１４、業種Ｃ３２１５、業種Ｄ３２１６についても現在投票を受付け中の場の一覧が表示されている。
【００７８】
端末・センタ通信装置１０は、各業種のホスト２０から運用情報を取得し、各キャッシュレス端末３０に運用情報を配信しているので、キャッシュレス端末３０では、すべての業種のレースの開催状況を一画面で見ることができる。なお、例えば、場に対応するボタンを押下すれば、レースの詳細情報などが表示されるとしてもよい。
【００７９】
利用者は、ログイン画面３２１の案内メッセージ３２１１にしたがってＩＣカードリーダ３６０に会員カードをタッチし、ログインする。
図１０は、端末・センタ通信装置によるログイン処理の手順を示したタイムチャートである。なお、図１０では、業種Ａホスト通信部１１０ａと、業種Ｂホスト通信部１１０ｂとをまとめてホスト通信部１１０としているが、説明では業種Ａホスト通信部１１０ａ、業種Ｂホスト通信部１１０ｂと表記する。図１１、１３、１４についても同様である。
【００８０】
キャッシュレス端末３０は、ＩＣカードリーダ３６０によって会員がタッチした会員カードから会員番号を読み取り、会員番号を含む会員認証電文５１を端末・センタ通信装置１０に送信する。端末・センタ通信装置１０は、端末通信部１２０によって会員認証電文５１を取得し、処理を開始する。
【００８１】
［ステップＳ１１］投票制御部１３１は、端末通信部１２０が受信したキャッシュレス端末３０の会員認証電文５１を取得し、電文の内容を確認する。投票制御部１３１は、電文が会員認証要求であるので、会員管理部１３２に会員番号を通知し、認証を要求する。
【００８２】
［ステップＳ１２］会員管理部１３２は、会員番号と、会員情報記憶部１３３に記憶される会員情報とを照合し、会員情報に一致する会員番号が有るか否かにより会員を認証する。なお、会員番号は、端末・センタ通信装置１０が付与した共通会員番号に限らず、いずれかの業種の端末で付与された業種別会員番号であってもよい。どの業種の業種別会員番号であるかは、業種ごとに異なる業種別会員番号の特徴部分によって判断する。例えば、業種別会員番号の桁数であってもよい。また、複数の特徴部分によって判断してもよい。会員管理部１３２は、会員番号が端末・センタ通信装置１０が付与したものでないときは、端末・センタ通信装置１０の共通会員番号も、投票制御部１３１に認証結果を通知する。
【００８３】
［ステップＳ１３］投票制御部１３１は、会員管理部１３２によって会員番号が認証されたときはログインを許可し、会員番号をメモリに保存する。ここでは、会員番号として共通会員番号をメモリに保存する。投票制御部１３１は、会員管理部１３２によって会員番号が認証されなかったときは、ログイン不可とする。投票制御部１３１は、会員認証電文５１を送信してきたキャッシュレス端末３０に対し、端末通信部１２０経由でログイン可否を送信する。
【００８４】
キャッシュレス端末３０は、会員認証電文５１の応答を受信し、ログインが許可されなかったときは、認証不可を会員に通知し、処理を終了する。許可されたときは、次の処理に進み、残高照会電文５２を端末・センタ通信装置１０に送信する。端末・センタ通信装置１０は、端末通信部１２０によって残高照会電文５２を取得し、処理を開始する。
【００８５】
［ステップＳ１４］投票制御部１３１は、端末通信部１２０が受信したキャッシュレス端末３０の残高照会電文５２を取得し、電文の内容を確認する。投票制御部１３１は、電文が残高照会要求であるので、会員番号と残高照会要求とを資金管理部１３４に送る。
【００８６】
［ステップＳ１５］資金管理部１３４は、残高照会要求を受け、資金情報記憶部１３５に記憶される資金情報から会員番号に対応する資金情報を抽出し、投票制御部１３１に出力する。
【００８７】
［ステップＳ１６］投票制御部１３１は、残高照会電文５２を送信してきたキャッシュレス端末３０に対し、共通口座の残高を含む資金情報を端末通信部１２０経由で送信し、処理を終了する。
【００８８】
キャッシュレス端末３０は、残高照会電文５２の応答を受信し、表示部３７３によって会員の共通口座の残高を画面に表示する。
以上の処理手順により、利用者のログインが終了する。端末・センタ通信装置１０では、会員管理部１３２が読み取られた会員番号を、会員が保有する業種ごとの会員番号とも照合するので、利用者は、どの業種の会員カードをタッチしてもログインが可能である。
【００８９】
（２）入金処理
入金処理について説明する。入金処理は、ログインした会員が入出金機３１を介して投票の資金を入金したときの処理である。図１１は、端末・センタ通信装置による入金処理の手順を示したタイムチャートである。なお、図１１は、入出金機３１と端末・センタ通信装置１０との間で、図１０に示したログイン処理が終了した後の処理手順を示している。
【００９０】
入出金機３１は、利用者による入金操作を受付け、入金電文５３を端末・センタ通信装置１０に送信する。端末・センタ通信装置１０は、端末通信部１２０によって入金電文５３を取得し、処理を開始する。
【００９１】
［ステップＳ２１］投票制御部１３１は、端末通信部１２０が受信した入出金機３１の入金電文５３を取得し、電文の内容を確認する。投票制御部１３１は、電文が入金の通知であるので、資金管理部１３４に入金処理を指示する。
【００９２】
［ステップＳ２２］資金管理部１３４は、ログイン時にメモリに保存された会員番号に基づいて資金情報記憶部１３５の対応する資金情報を特定する。資金管理部１３４は、特定した資金情報によって管理される会員の共通口座の残高に入金電文５３に基づく入金金額を加算し、共通口座の残高を更新し、入金処理の完了を投票制御部１３１に通知する。
【００９３】
［ステップＳ２３］投票制御部１３１は、入金電文５３を送信してきた入出金機３１に対し、入金完了の通知を端末通信部１２０経由で送信し、処理を終了する。このとき、入金後の共通口座の残高を入出金機３１に通知するとしてもよい。
【００９４】
このように、端末・センタ通信装置１０では、入金があったときは、利用者の資金を一括管理する共通口座のみ入金を反映する。すなわち、各業種の投票口座に資金を振分けない。利用者は、共通口座の残高のみを管理すればよく、利用者の利便性が向上する。
【００９５】
（３）投票処理
投票処理について説明する。図１２は、キャッシュレス端末の投票カード待ち画面の一例を示した図である。
【００９６】
投票カード待ち画面３２２は、利用者がキャッシュレス端末３０に投票カードを投入する前の待機画面である。投票カード待ち画面３２２には、利用者に対する案内メッセージ３２２１と、投票カードに基づく表示項目が表示されている。
【００９７】
案内メッセージ３２２１には、「投票カードを入れて下さい」という利用者に向けたメッセージが表示される。キャッシュレス投票を行う利用者は、投票内容を記した投票カードをキャッシュレス端末３０に投入して投票を行う。
【００９８】
また、投票カードが投入されたときの表示項目として、投票カード待ち画面３２２には、購入業種３２２２、購入場３２２３、購入レース３２２４、購入金額３２２５、口座残金３２２６、投票内容３２２７及び履歴照会ボタン３２２８を表示する領域が用意されている。購入業種３２２２は、投票の対象の業種を表示する表示欄である。購入場３２２３は、投票の対象のレースが開催される場を表示する表示欄である。購入レース３２２４は、投票の対象のレースを表示する表示欄である。購入金額３２２５は、投票に用いた投入金額を表示する表示欄である。口座残金３２２６は、共通口座の残高を表示する表示欄である。投票内容３２２７は、投票対象の番号や賭式などを表示する表示欄である。履歴照会ボタン３２２８は、これまでに会員が投票してきた履歴を照会する際に押下する表示ボタンである。
【００９９】
利用者が案内メッセージ３２２１にしたがってキャッシュレス端末３０に投票カードを投入すると、キャッシュレス端末３０は投票カードを読み取り、読み取った投票内容に基づき、購入業種３２２２、購入場３２２３、購入レース３２２４、購入金額３２２５、投票内容３２２７の表示を行う。なお、口座残金３２２６には、図１０に示したログイン処理において取得した共通口座の残高を表示する。また、キャッシュレス端末３０は、読み取った投票カードの内容を投票情報として端末・センタ通信装置１０に送信する。
【０１００】
図１３は、端末・センタ通信装置による投票処理の手順を示したタイムチャートである。キャッシュレス端末３０は、利用者が投入した投入カードを読み取って投票情報を生成し、投票情報を含む投票電文５４を端末・センタ通信装置１０に送信する。なお、図１３の例では、利用者は、業種Ａのレースに投票を行うとしている。端末・センタ通信装置１０は、端末通信部１２０によって投票電文５４を取得し、処理を開始する。
【０１０１】
［ステップＳ３１］投票制御部１３１は、端末通信部１２０が受信したキャッシュレス端末３０の投票電文５４を取得し、電文の内容を確認する。投票制御部１３１は、電文が投票要求であるので、投票電文５４に含まれる投票情報に基づいて投票処理を行う。図１３の例では、投票情報に基づき、資金管理部１３４に対し、業種Ａホスト２１が管理する投票口座へ投票金を振替えるように指示する。
【０１０２】
［ステップＳ３２］資金管理部１３４は、会員番号に対応する資金情報を資金情報記憶部１３５から抽出し、共通口座の残高から投票金を出金し、業種Ａホスト２１が管理する投票口座に振替える振替処理を行う。資金管理部１３４は、業種Ａホスト２１に対し、投票金の振替通知を送信するように業種Ａホスト２１に対応する業種Ａホスト通信部１１０ａに指示を出す。
【０１０３】
［ステップＳ３３］業種Ａホスト通信部１１０ａでは、取得した投票金の振替指示を業種Ａホスト２１のインタフェース仕様に合った電文に変換し、変換した振替指示電文を業種Ａホスト２１に送信する。
【０１０４】
業種Ａホスト２１は、振替指示電文を取得し、振替えられた投票金を業種Ａの投票口座に入金する。そして、業種Ａホスト２１は、振替が正常に終了したか否かを示す振替結果電文５５を端末・センタ通信装置１０に送信する。ここでは、振替結果電文５５は、振替が正常終了したことを通知する電文であるとして次の手順を説明する。
【０１０５】
［ステップＳ３４］業種Ａホスト通信部１１０ａでは、振替結果電文５５を取得し、資金管理部１３４へ通知する。
［ステップＳ３５］資金管理部１３４は、振替結果に基づいて会員に対応する資金情報を更新し、振替処理完了を投票制御部１３１に通知する。
【０１０６】
［ステップＳ３６］投票制御部１３１は、振替処理完了の通知を受け、業種Ａホスト２１に対応する業種Ａホスト通信部１１０ａに対し、投票情報の送信を指示する。
［ステップＳ３７］業種Ａホスト通信部１１０ａでは、投票情報を業種Ａホスト２１のインタフェース仕様に合った電文に変換し、変換した投票情報電文を業種Ａホスト２１に送信する。
【０１０７】
業種Ａホスト２１は、投票情報電文を取得し、業種Ａの投票口座に入金された投票金を使用して投票情報に指定された投票を受付ける。業種Ａホスト２１は、投票を正常に受付けたことを示す投票結果電文５６を端末・センタ通信装置１０に送信する。
【０１０８】
［ステップＳ３８］業種Ａホスト通信部１１０ａは、投票結果電文５６を投票制御部１３１に通知する。
［ステップＳ３９］投票制御部１３１は、取得した投票結果を端末通信部１２０経由でキャッシュレス端末３０に送信し、処理を終了する。
【０１０９】
キャッシュレス端末３０では、投票結果を利用者に通知する。投票が正常に終了したときは、レシートプリンタ３５０によって投票内容を記載したレシートを発行し、利用者に提供する。
【０１１０】
以上の処理手順が実行され、利用者のキャッシュレス投票が終了する。端末・センタ通信装置１０は、利用者が投入した投票カードに応じた投票情報に基づいて投票先の業種を特定し、対応する業種のホストに対し投票情報を通知する。このとき、投票に必要な投票金は、共通口座に一括管理する資金から投票金の分だけ投票先の投票口座に振替えられる。これにより、利用者は、自身が投票先の投票口座に資金を移動することなく、任意の業種の投票を行うことが可能となる。
【０１１１】
なお、端末・センタ通信装置１０は、各業種のホストから取得する運用情報に基づき、投票を行ったレースの結果が確定したことを検出したときは、資金管理部１３４に結果が確定し払戻を受けた投票口座にある資金を共通口座に振替えるように指示する。資金管理部１３４は、図３に示した共通口座から投票口座への投票金の振替と同様に手順によって、投票口座の資金を共通口座に振替える。これにより、利用者の資金は、常に共通口座で一括管理される。利用者は、業種ごとに設けられる投票口座を個々に管理する必要がなくなり、資金の管理が容易になる。
【０１１２】
（４）照会処理
次に、照会処理について説明する。各業種のホストは、利用者が行った投票の内容や操作などの履歴を所定の期間保存している。一方、利用者は、過去に行った入出金、あるいは投票内容と配当金などを照会したい場合がある。照会処理は、このような利用者の要望をかなえるものである。
【０１１３】
履歴の照会を希望する利用者は、例えば、図１２に示した投票カード待ち画面３２２の履歴照会ボタン３２２８を押下する。キャッシュレス端末３０は、利用者が履歴照会ボタン３２２８を押下したことを検出し、履歴照会処理を開始する。
【０１１４】
図１４は、端末・センタ通信装置による投票処理の手順を示したタイムチャートである。キャッシュレス端末３０は、履歴照会ボタン３２２８が押下されたことを検出し、端末・センタ通信装置１０に照会電文５８を送信する。
【０１１５】
［ステップＳ４１］投票制御部１３１は、端末通信部１２０が受信したキャッシュレス端末３０の照会電文５８を取得し、電文の内容を確認する。投票制御部１３１は、電文が照会要求であるので、業種Ａホスト２１に対応する業種Ａホスト通信部１１０ａと、業種Ｂホスト２２に対応する業種Ｂホスト通信部１１０ｂに対し、履歴照会を指示する。
【０１１６】
［ステップＳ４２］業種Ａホスト２１に対応する業種Ａホスト通信部１１０ａは、業種Ａホスト２１のインタフェース仕様に合った履歴照会電文を業種Ａホスト２１に送信する。履歴照会電文には、必要に応じて業種Ａ会員番号を付加する。
【０１１７】
業種Ａホスト２１は、端末・センタ通信装置１０からの履歴照会電文を受信し、当該会員の履歴情報を抽出する。そして、抽出した履歴情報を含む照会結果電文５９を端末・センタ通信装置１０に送信する。
【０１１８】
［ステップＳ４３］業種Ａホスト通信部１１０ａでは、業種Ａホスト２１が送信した照会結果電文５９を受信し、記憶部に一時保存する。続けて、業種Ｂホスト通信部１１０ｂが、業種Ｂホスト２２のインタフェース仕様に合った履歴照会電文を業種Ｂホスト２２に送信する。履歴照会電文には、必要に応じて業種Ｂ会員番号を付加する。
【０１１９】
業種Ｂホスト２２は、端末・センタ通信装置１０からの履歴照会電文を受信し、当該会員の履歴情報を抽出する。そして、抽出した履歴情報を含む照会結果電文６０を端末・センタ通信装置１０に送信する。
【０１２０】
［ステップＳ４４］業種Ｂホスト通信部１１０ｂでは、業種Ｂホスト２２が送信した照会結果電文６０を受信し、記憶部に一時保存する。図１３の例では、ホストは業種Ａホスト２１と業種Ｂホスト２２のみであるので、履歴照会を終了し、一時保存した業種Ａの履歴情報と、業種Ｂの履歴情報を端末・センタ通信装置１０の仕様に合わせて変換した後、投票制御部１３１に通知する。
【０１２１】
［ステップＳ４５］投票制御部１３１は、ホスト通信部１１０から取得した業種Ａの履歴情報と、業種Ｂの履歴情報とを端末通信部１２０経由でキャッシュレス端末３０に送信する。
【０１２２】
キャッシュレス端末３０では、取得した履歴情報に基づき、履歴照会画面を表示する。
図１５は、キャッシュレス端末の履歴照会画面の一例を示した図である。
履歴照会画面３２３は、端末・センタ通信装置１０が各業種のホストから取得した履歴情報に基づく表示画面である。履歴照会画面３２３には、履歴情報の一覧３２３１と、操作ボタンが表示されている。操作ボタンには、全業種の履歴情報を一括して表示する全ボタン３２３２と、業種Ａの履歴情報を選択して表示する業種Ａボタン３２３３と、業種Ｂの履歴情報を選択して表示する業種Ｂボタン３２３４と、業種Ｃの履歴情報を選択して表示する業種Ｃボタン３２３５と、業種Ｄの履歴情報を選択して表示する業種Ｄボタン３２３６と、表示されている頁の前頁の表示を選択する前頁ボタン３２３７と、表示されている頁の次頁の表示を選択する次頁ボタン３２３８と、を有する。キャッシュレス端末３０は、全業種の履歴情報を取得しておき、利用者のボタン操作による指示に応じて履歴情報を選択し、表示画面に表示する。図１５に示した例では、業種Ａにおける履歴が表示されている。
【０１２３】
このように、端末・センタ通信装置１０は、キャッシュレス端末３０にログインした利用者に関する全業種の履歴情報を取得し、キャッシュレス端末３０に提供する。これにより、利用者は、任意の業種における履歴を確認することができる。
【０１２４】
本実施形態の発明は、本発明の通信装置を追加することにより、容易に適用が可能となる。また、各業種ホストやキャッシュレス端末や入出金機は、そのまま既存の装置を流用することが可能となり、安価に改修（適用）することが可能となる。
【０１２５】
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせてもよい。さらに、異なる実施形態にわたる構成要素を適宜組み合わせてもよい。このような、発明の趣旨を逸脱しない範囲内において種々の変形や応用が可能である。
【符号の説明】
【０１２６】
１  通信装置
２ａ  業種Ａホスト
２ｂ  業種Ｂホスト
３  端末装置
１０  端末・センタ通信装置
１１  ホスト通信部
１２  端末通信部
１３  管理情報記憶部
１４  情報制御部
２１  業種Ａホスト
２２  業種Ｂホスト
２３  業種Ｃホスト
２４  業種Ｄホスト
３０，３０ａ，３０ｂ，３０ｃ，３０ｄ  キャッシュレス端末
３１  入出金機
１０６  端末通信部
１１０ａ  業種Ａホスト通信部
１１０ｂ  業種Ｂホスト通信部
１２０  端末通信部
１３０  情報制御部
１３１  投票制御部
１３２  会員管理部
１３３  会員情報記憶部
１３４  資金管理部
１３５  資金情報記憶部
１３６  運用情報記憶部
【図１】
0006489872.tif 000002
【図２】
0006489872.tif 000003
【図３】
0006489872.tif 000004
【図４】
0006489872.tif 000005
【図５】
0006489872.tif 000006
【図６】
0006489872.tif 000007
【図７】
0006489872.tif 000008
【図８】
0006489872.tif 000009
【図９】
0006489872.tif 000010
【図１０】
0006489872.tif 000011
【図１１】
0006489872.tif 000012
【図１２】
0006489872.tif 000013
【図１３】
0006489872.tif 000014
【図１４】
0006489872.tif 000015
【図１５】
0006489872.tif 000016